(57)【要約】【課題】  簡単な構造で構成され、手や処理器具が汚物に触れることなく、衛生的に処理でき、ランニングコストを軽減させる、携帯用汚物処理器具を提供する。 【解決手段】  薄い板状の硬質な一枚の部材で成型された携帯用汚物処理器具１と、汚物を掻き込むハケ３の僅か２点で構成され、携帯汚物処理器具１とハケ３をポリ袋aに装着し汚物を携帯用汚物処理器具１の空洞部cに落とし込むことで、汚物の重力でポリ袋aが沈み込み、こぼれ落ちることなく処理でき、回収後にポリ袋aを反転させることで、器具や手に触れることなく衛生的に行えるよう装備した。【選択図】  図１
2011036175.tif 000002
【特許請求の範囲】
【請求項１】
ペットの糞処理や介護用、幼児用、乗り物酔い、酒酔い等で起きる汚物の処理に用いる
携帯用汚物処理器具で、硬質な部材で中部を空洞にしフレーム状にした一枚の板で成
型され、前方に配置された汚物取り入れ口はテーパーカットされた板幅が細く構成され
汚物をかき込むハケを後方取っ手部に、簡単に取り外しができるよう磁石で取り付け配置
した構造の携帯用汚物処理器具であって、ポリ袋の内側に携帯用汚物処理器具、別の
ポリ袋に取り外したハケを入れ、掻き集めた汚物を、汚物処理器具の空洞部に落とし込み
汚物の重みでポリ袋が沈み込むことで、汚物がこぼれ落ちたりすることを防ぐことができ
汚物処理後、ポリ袋を反転させることで汚物に手が触れることなく回収され、ハケを入れて
いた汚れたポリ袋も、回収した汚物の中に一緒に廃棄することによって、手を汚すことなく
処理できることを特徴とする携帯用汚物処理器具。
【発明の詳細な説明】
【技術分野】
【０００１】
本発明は、人間及び動物の排泄物、嘔吐物の処理に関する。
【背景技術】
【０００２】
従来から、人間及び動物の排泄物、嘔吐物の処理器具は提供されている。
（特許文献１〜４）。
【先行技術文献】
【特許文献】
【０００３】
【特許文献１】特開  ２００２−１７６８７４
【特許文献２】特開  ２００３−１２５６６６
【特許文献３】特開  ２００５−２９５９００
【特許文献４】特開  ２００８−０７９５４６
【発明の概要】
【発明が解決しようとする課題】
【０００４】
従来の、人間及び動物の排泄物、嘔吐物の処理器具は必要以上に装置が大掛かりす
ぎて高価だったり、簡易な方法で安価であれば、紙製で組み立て式の、ちり取り（使い
捨て）や、吸水マットで処理するといった方法で、あまりにも不経済であり、特に、ペットの糞処理等は毎日行うことで、使い捨て方式のちり取り、スコップ等は一見便利で衛生
的に感じるが結局は高くつくことで永続きしていないのが現状である。また、幼児や痴呆症を患った老人がトイレ以外で排泄したり、突然嘔吐したりと言った時も、使い捨ての吸水マットやティッシュペーパー等で拭き取っている場合が多く、マットやティッシュペーパーから漏れた汚物が手に付いたりする場合があり、処理する者にとっては不快であり不衛生であった。以上のことから、装置を極力簡略化し、衛生的で安価な携帯用汚物処
理器具を提供することを、本発明の目的とした。
【課題を解決するための手段】
【０００５】
次に、上記課題を解決するために、その手段を説明する。
【０００６】
本発明の請求項１は、ペットの糞処理や、介護用、幼児用、乗り物酔い、酒酔い等で起
きる汚物の処理に用いる携帯用汚物処理器具で、硬質な部材で中部を空洞にしフレー
ム状にした一枚の板で成型され、前方に配置された汚物取入れ口はテーパーカットされ
た板幅が細く構成され、汚物を掻き込むハケを後方取っ手部に、簡単に取り外しができ
るよう磁石で取り付け配置した構造の携帯用汚物処理器具であって、ポリ袋の内側に
携帯用汚物処理器具、別のポリ袋に取り外したハケを装着し、掻き集めた汚物を、汚物
処理器具の空洞部に落とし込み汚物の重みでポリ袋が沈み込むことで、汚物がこぼれ
落ちたりすることを防ぐことができ、汚物処理後、ポリ袋を反転させることで汚物に手が触れることなく回収されハケを入れていた汚れたポリ袋も、回収した汚物の中に一緒に
廃棄することによって、手を汚すことなく処理できることを特徴とする。
【発明の効果】
【０００７】
本発明は以上述べたように構成されているので以下に記載されるような効果を奏す。
【０００８】
まず、製造面からの効果であるが、簡単な構造であるため、本体、ハケ部が一個の成
型物によって出来上がることで製造コストが抑えられ安価で提供される。
【０００９】
本体に装着する汚物を入れるポリ袋であるが、市販されているポリ袋を買っても一枚数
円と言う安価な物であり、日ごろスーパーマーケットで買い物をした時、商品に付いてくるものを取って置き、使用することが可能であることと、手袋（一般的にビニール製の使い捨て）をする必要が無く経済的負担が軽減される。
【００１０】
携帯用汚物処理器具は、使い捨てでないため、日頃、吸水マットや使い捨ての製品を
使っている場合に比べて、大きく経費削減となる。
【００１１】
携帯用汚物処理器具の重さであるが、プラスチック等の成型物であるため、軽くて、持っていても負担を感じない。
【００１２】
携帯用汚物処理器具の中部が大きく空洞となっていて回収した汚物の重みでポリ袋が
沈み込むため一度回収した汚物が転げ落ちたり、垂れたりしない。
【００１３】
携帯用汚物処理器具とハケをポリ袋で包み込むことで、手袋をする手間が省け、迅速
に処理することができ、手や処理器具に汚物が直接触れることなく衛生的に作業が行
える。  
【００１４】
携帯用汚物処理器具が安価で提供できるため、使用頻度の高い、介護施設、学校
病院、幼稚園、タクシー、バス、ペットを飼っている家、人の集まるイベント会場等々に常備でき衛生面が高まる。
【図面の簡単な説明】
【００１５】
【図１】携帯用汚物処理器具とハケをポリ袋に装着し汚物を取り込んでいる斜視図。
【図２】携帯用汚物処理器具にポリ袋を装着し汚物を取り込んだ側面図
【図３】携帯用汚物処理器具の正面図
【発明を実施するための形態】
【００１６】
次は、この発明の実施の形態について説明する。
【００１７】
携帯用汚物処理器具図３（正面図）の構成を説明する。硬質で薄い部材から成る携帯用
汚物処理器具本体１と汚物dを掻き込むハケ３の２点で構成され、使用されていない時は本体取っ手部に磁石bでハケ３を貼り付けた状態で構成される。
【００１８】
図１、図２は携帯用汚物処理器具１の使用時を示すものである。図１に示す、携帯用汚物処理器具１とハケ３を別々のポリ袋aに装着し,ポリ袋aの内側に手を入れ、携帯用汚物処理器具１とハケ３を握り、汚物dを携帯用汚物処理器具１の空洞化された部分cに落とし
込 むことにより汚物dの重さでポリ袋aが沈み込むことで、回収された汚物dがこぼれ落ちることが無く、完全に回収されたらポリ袋aを反転させることで、器具も手も汚物dに触れることなく回収される。
【実施例】
【００１９】
以下に実施例を示すが、本発明はこれら実施例に限定されるものではない。
【００２０】
本発明の、携帯用汚物処理器具を老人の嘔吐物と犬の糞処理で実施した。
【００２１】
まず、老人の嘔吐物の場合、水分が多く、ねばついた状態であったが、平常時は常に携
帯用汚物処理器具をポリ袋に入れた状態にしていたので、迅速に処理でき、嘔吐物をハ
ケで本体空洞部に掻き込み、回収した嘔吐物をこぼすことなく簡単に処理でき、手や器
具を全く汚すことなく処置できた。通常であれば、使い捨ての吸水マットを４〜５枚使っていたが、本発明の携帯用汚物処理器具を使用することで、費用も安く上がり、また
廃棄物も少なくて済んだ。
【００２２】
次は、犬の糞処理の場合、排泄物が硬めでコロコロした状態であったが、ポリ袋に装着したハケ及び携帯用汚物処理器具で処理した結果、本体空洞部に排泄物を掻き込むこと
でポリ袋が排泄物の重みで沈み込み、ころげ落ちることなく処理でき、上記の場合と同じく、器具や手を汚すことなく済んだ。
【００２３】
以上の実施例から、本発明の携帯用汚物処理器具は、人間及びペットの汚物処理で手
軽で持ち運びでき、使い捨てでないため、ランニングコストが抑えられ、また、衛生的で廃棄物も少なくなることから社会的に貢献できものである。
【符号の説明】
【００２４】
１  携帯用汚物処理器具
２  汚物掻き込み口
３  ハケ
a  ポリ袋
b  磁石
c  携帯用汚物処理器具の空洞部
d  汚物
【図１】
2011036175.tif 000003
【図２】
2011036175.tif 000004
【図３】
2011036175.tif 000005